(57)【特許請求の範囲】
【請求項１】
走行機体(1) の両側に突出させた出力軸(21)に、ユニバーサルジョイント(7) を有する拡縮継手機構(8) を介してガイド板(5c)に沿って上下動する施肥ノズル(5b)を備えた施肥部(5) を連結して前記施肥部(5) の狭巾施肥位置と広巾施肥位置とを切換え自在にした施肥機において、前記出力軸(21)及び前記拡縮継手機構(8) を、エンジン(4) からの動力を伝達する動力伝動部(12)を覆う伝動ケース(16)の上部側に位置させ、かつ、前記ガイド板(5c)の内側の中央部に枢支した支持軸(51)を、前記伝動ケース(16)の下部に設けた調節筒(16a) 内にスライド自在に嵌挿して前記施肥部(5) を垂直施肥姿勢と傾斜施肥姿勢とに切換え可能したことを特徴とする施肥機。
【発明の詳細な説明】
【０００１】
【発明の属する技術分野】
本発明は、ペースト肥料等を地中に注入施肥する施肥機の改良に関する。
【０００２】
【従来の技術】
従来、走行機体の両側で施肥ノズルを上下運動させながら肥料ポンプで圧送されるペースト肥料等の流動性肥料を施肥ノズルによって地中に点状に施肥する施肥部を具えた施肥機は、この施肥部が走行機体の伝動ケースの出力軸に所定の固定された間隔で設けられた伝動構成されている。
【０００３】
【発明が解決しようとする課題】
しかし、上記従来の構造による施肥機は、施肥する幅が機体の両側に規定されているので、所定の巾よりも広く作付けされた作物列に対して正確に施肥することができず、広巾に施肥可能に構成された施肥機を別途準備して施肥作業を行なわねばならない等の問題があった。
【０００４】
【課題を解決するための手段】
上記の目的を達成するため、本発明の施肥機は、走行機体(1) の両側に突出させた出力軸(21)に、ユニバーサルジョイント(7) を有する拡縮継手機構(8) を介してガイド板(5c)に沿って上下動する施肥ノズル(5b)を備えた施肥部(5) を連結して前記施肥部(5) の狭巾施肥位置と広巾施肥位置とを切換え自在にした施肥機において、前記出力軸(21)及び前記拡縮継手機構(8) を、エンジン(4) からの動力を伝達する動力伝動部(12)を覆う伝動ケース(16)の上部側に位置させ、かつ、前記ガイド板(5c)の内側の中央部に枢支した支持軸(51)を、前記伝動ケース(16)の下部に設けた調節筒(16a) 内にスライド自在に嵌挿して前記施肥部(5) を垂直施肥姿勢と傾斜施肥姿勢とに切換え可能したことを特徴としている。
【０００５】
【発明の実施の形態】
次に本発明の一実施の形態を図面に基づいて説明する。
図１及び２において、１は施肥機Ａの走行機体であって、左右の走行車輪２を具えた機体フレーム３の前部にエンジン４を搭載し、その上方には肥料タンク４ａや燃料タンク４ｂ等が配設している。また、機体フレーム３の後端部には尾輪２ａを装着し、その上方には操作ハンドル３ａが立設している。
【０００６】
そして走行機体１の後部には図３に示すようにクランク機構５ａで上下揺動往復運動する施肥ノズル５ｂ及びガイド板５ｃ等からなる施肥部５（図３）を機体の両側に後述する構成によって設置していると共に、前記車輪２には駐車ブレーキ機構６を設けている（図１１）。
上記施肥部５の伝動構成について説明すると、エンジン４からの動力伝動部１２を介して機体の左右両側に設けた施肥ノズル５ｂがガイド板５ｃの案内溝１５に沿って上下動する。１６は上記動力伝動部１２を覆う伝動ケースであって、この伝動ケース１６に施肥ノズル５ｂが上記動力伝動部１２を介して取付けられている。
【０００７】
この動力伝動部１２は、伝動ケース（ミッションケース）１７側の入力軸１８と動力伝動部１２側の伝動シャフト１９とが、ベルト伝動機構２０を介して連動連結されており、更に、この伝動シャフト１９と伝動ケース１６の上部側に設けた施肥ノズル５ｂの駆動軸である出力軸２１との間をチェン伝動機構２２を介して連結している。
【０００８】
なお、２３（図２）は出力軸２１に設けたチェンスプロケット、２４は上記入力軸１８と伝動シャフト１９とを支持するリンクアーム、２５はベルト伝動機構２０のテンションプーリであって、このテンションプーリ２５が操作ハンドル３ａに設けた操作レバー２６にワイヤ２７で連結されており、この操作レバー２６の操作により、エンジン４からの動力を断続するように構成している。
【０００９】
前記施肥部５は、従来の装置と同様な構成によりエンジン４で駆動される施肥ポンプ９によって、肥料タンク４ａ内に収容されているペースト肥料を送給管等を介して前記施肥部５に圧送し、施肥ノズル５ｂの上下往復動のタイミングに合わせてこの施肥ノズル５ｂが最下位置で地中に突入したときその先端部からペースト肥料を吐出して所定の深さに施肥することができるようにしている。
【００１０】
次に、施肥部５の構成について説明する。
この施肥部５は図２及び図３に示すようにクランク機構５ａのクランク軸（入力軸）５０が前記出力軸２１とユニバーサルジョイント７を有する拡縮継手機構８を介して伝動連結されており、ガイド板５ｃの内側の中央部に枢支した支持軸５１を伝動ケース１６の下部に設けた調節筒１６ａ内に嵌挿してスライド自在に固定できるようになっている。そして図３の左側の施肥部５のように略垂直状の点注施肥を行なう垂直施肥姿勢と、右側の施肥部５に示ように外側に張出して傾斜した姿勢に調節して機体から離間した位置に斜め方向に点注施肥を行なう傾斜施肥姿勢とに切換えできるように構成している。
【００１１】
即ち、前記拡縮継手機構８は図４に示すように伝動ケース１６からユニバーサルジョイント７の前後を覆うように突設したホルダ８０に対してガイド板５ｃの内側から突出させた二又の支持片８１を、回動取付軸８２によって前記ユニバーサルジョイント７の自在軸７０と軸芯を一致させて回動及び着脱可能に取付けていることにより、前記両姿勢への切換えと支持を安定して行なうことができるように構成している。
【００１２】
また、この拡縮継手機構８は前記回動取付軸８２を取外すと共に出力軸２１とユニバーサルジョイント７を連結している連結ピン７１を抜くことにより、図５に示すように施肥部５を伝動ケース１６から取外すことができるよう構成しており、この状態で図６及び図７に示すように延長軸８３を出力軸２１に連結ピン７１を差し込んで連結するようにしている。
【００１３】
そしてホルダ８０のものと同様な回動孔８５ａを有する延長ホルダ８５を、前記ホルダ８０に重ねて取付ネジ８６によって取付けたのち、ユニバーサルジョイント７を延長軸８３の軸端に延長連結ピン８７を差込んで連結し、支持片８１を延長ホルダ８５の回動孔８５ａと回動取付軸８２を介して取付けて施肥部５を図８に示すように、伝動ケース１６から機体外側に向けて前記延長軸８３長さ分だけ機体から広巾な間隔に取付け変更することができるようにしている。
【００１４】
なお、図６及び図８に示す８５Ｒは芯出治具であって、これより突出している軸ｄを矢印で示すようにボスに嵌入した状態で延長ホルダ８５に設けたボルト孔ｂにこの治具８５Ｒに設けた孔ａとを合わせてボルトで締結することによって連結部分の芯合わせを行うことができる。
以上のように拡縮継手機構８を具えた施肥機Ａは、ユニバーサルジョイント７を出力軸２１に図４に示すように連結したこときは、左右の施肥部５を図３で示す狭巾施肥位置に縮小状させて施肥ノズル５ｂから肥料を施肥できる。
【００１５】
また、ユニバーサルジョイント７を延長軸８３を介して出力軸２１に連結したときは（図６，７，８）、左右の施肥部５を図９で示す広巾施肥位置に拡大させて施肥ノズル５ｂから肥料を施肥することができることになる。
従って、この施肥機Ａによれば、通常行なわれる狭巾位置における標準的な点注施肥作業を良好に行なうことができる。更に広巾な間隔で点注施肥作業を行ないたい場合は、同一な機体を使用して出力軸２１及び施肥部５の伝動基部に設けた拡縮継手機構８を前記したような簡単な調節操作することによって、施肥部５全体を広巾位置に設けることができることから、施肥ノズル５ｂによる広巾点注施肥作業を同一の施肥機Ａを使用して行なうことができる利点がある。
【００１６】
また、狭巾と広巾との施肥作業において、拡縮継手機構８は同一なユニバーサルジョイント７を使用して同様な操作による傾斜点注施肥を行なうことを可能にしているので、広巾施肥位置においても図９に示すように施肥部５を支持して施肥ノズル５ｂによる施肥を良好に行なうことができる。
次に、施肥機Ａの走行部に構成した駐車ブレーキ機構６について図１０〜図１２を参照して説明する。
【００１７】
この駐車ブレーキ機構６は、車輪２の後方で機体フレーム３の前後部に設けた支持ブラケット３０，３１に前後方向にスライド可能に嵌挿支持した棒状のロック部材６０と、上記車輪２の車軸２０に固着した円板状のロック板６１の外周に側方に向けて屈曲させたロック片６２を複数形成したロック体６３で構成している。なと、このロック体６３はスプリング性を持つ薄い金属板で構成したものでロック片６２に強い力が作用すると撓むことができるようになっている。
【００１８】
上記ロック部材６０は、操作ハンドル３ａの下方側においてその端部を屈曲させたレバー部６ａを形成しているとともに、軸部にピン６５，６６を支持ブラケット３１の前後に植設して、ピン６５と支持ブラケット３１との間に拡張スプリング６７を嵌挿し、この拡張スプリング６７に抗してレバー部６ａを引き動作したロック解除姿勢において、支持ブラケット３１に形成した係合部３２に上記ピン６６を切換可能に係合させて上記ロック解除姿勢を保持するように構成している。
【００１９】
また、ロック部材６０の前端部には、ピン６６が係合部３２から外されて拡張スプリング６７の自由長の付勢状態において、ロック片６２の回転軌跡内に突入することによってロック体６３のロック片６２と係合して車輪２の回転を固定するロック姿勢に維持させるロック部６８を形成している。
以上のように構成された駐車ブレーキ機構６を具えた施肥機Ａは、施肥作業時にはロック部材６０をロック解除姿勢に切換えておくことにより走行を円滑に行なうことができる。
【００２０】
そして、機体の駐車時にはロック部材６０をロック姿勢に切換えるとロック部６８がスプリング状のロック片６２に接当するので、簡潔な構成でありながら機体を確実に停止させることができる。
また、この駐車ブレーキ機構６はロック板６３を伝動ケース１７の底部と車輪２との間に形成された空間部を利用して車軸２０に固着させるとともに、ロック部材６０は機体フレーム３の腹部に沿わせて操作ハンドル３ａ側から操作可能に設置させることができるので、この駐車ブレーキ機構６の構造を極めて簡単な構成で、廉価に製作することができるものである。そしてまた、狭小な車輪２間においてもコンパクトに他の部品の邪魔になることなく駐車ブレーキ機構６を設置することができるから、小型の走行車において好適な駐車ブレーキ機構６を提供することができる等の利点がある。
【００２１】
【発明の効果】
上述したように本発明によれば、走行機体１の両側に拡縮継手機構８を介して施肥部５を設けたことにより、同一の施肥機を使用して狭巾な間隔で両施肥ノズル５ｂから施肥を行なうことができるとともに、拡縮継手機構８を調節することにより両施肥ノズル５ｂで広巾な間隔で施肥することができるので、広範な施肥作業を能率よく廉価に行なうことができる。
【図面の簡単な説明】
【図１】施肥機の伝動構造を示す側面図である。
【図２】施肥機の施肥構造を示す側面図である。
【図３】図１の施肥機の背面図である。
【図４】狭巾施肥位置における拡縮継手機構の平面図である。
【図５】図４の施肥部を分解して示す側面図である。
【図６】出力軸に延長軸を取付ける状態を示す平面図である。
【図７】延長軸にユニバーサルジョイントを取付ける状態を示す平面図である。
【図８】広巾施肥位置における施肥部の組立図である。
【図９】広巾施肥位置における施肥作業を示す背面図である。
【図１０】駐車ブレーキ機構の構造を示す側面図である。
【図１１】図１０の平面図である。
【図１２】図１０の背面図である。
【符号の説明】
１  走行機体                        ２  車輪
３  機体フレーム                    ５  施肥部
５ｂ  施肥ノズル                      ６  駐車ブレーキ機構
７  ユニバーサルジョイント          ８  拡縮継手機構
９  施肥ポンプ                    ２０  車軸
６０  ロック部材                    ６２  ロック片
６３  非ロック部材
【図１】
0003786676.tif 000002
【図２】
0003786676.tif 000003
【図３】
0003786676.tif 000004
【図４】
0003786676.tif 000005
【図５】
0003786676.tif 000006
【図６】
0003786676.tif 000007
【図７】
0003786676.tif 000008
【図８】
0003786676.tif 000009
【図９】
0003786676.tif 000010
【図１０】
0003786676.tif 000011
【図１１】
0003786676.tif 000012
【図１２】
0003786676.tif 000013